(57)【特許請求の範囲】
【請求項１】
少なくともプラグの一対の栓刃が挿入される２つの栓刃挿入孔を有する一乃至複数の差込部が一面に設けられた筐体と、筐体に収納されて栓刃が接触接続される一乃至複数の刃受部と、筐体内部において差込部と刃受部との間に配設されて各栓刃挿入孔を開放する位置と閉塞する位置との間で栓刃の挿入方向と交差する方向にスライド自在な一乃至複数の扉体と、一端部が扉体に取り付けられるとともに他端部が筐体に取り付けられて栓刃挿入孔を閉塞する位置に移動するように扉体を付勢するばね部材とを備えた扉付きコンセントであって、扉体は、その両側に張り出す翼片を各栓刃挿入孔に対向させるとともに両翼片の中間部を中心として栓刃の挿入方向に揺動自在に配設され、筐体には、揺動して傾いた扉体のスライド移動を阻止する阻止手段が設けられ、ばね部材は、扉体の両翼片の中間部を挟んだ両側にそれぞれ設けられたことを特徴とする扉付きコンセント。
【請求項２】
前記扉体のばね部材の一端部が取り付けられる部位には、ばね部材の一端部の周部を覆う周壁が設けられたことを特徴とする請求項１記載の扉付きコンセント。
【請求項３】
前記阻止手段は、揺動して傾いた扉体に接触する筐体内壁であって、扉体又は筐体内壁の少なくとも何れか一方の接触部位にテーパを設けたことを特徴とする請求項１又は２記載の扉付きコンセント。
【請求項４】
前記テーパは、扉体又は筐体内壁のうち対向する他方の接触面との成す角度が略３０度であることを特徴とする請求項３記載の扉付きコンセント。
【請求項５】
前記扉体は、栓刃と接触する面の少なくとも一部に段差が設けられたことを特徴とする請求項１乃至４の何れか１項に記載の扉付きコンセント。
【請求項６】
前記筐体は、一面が開口するとともに刃受部を収納するボディ及び一面が開口するとともに差込部が設けられたカバーの各開口を突き合わせて成り、カバーとの間で扉体を挟持する中枠が設けられたことを特徴とする請求項１乃至５の何れか１項に記載の扉付きコンセント。
【請求項７】
前記カバーのばね部材の他端部が取り付けられる部位には、開口部が設けられるとともに開口部を介してばね部材の他端部が案内されるガイド部が設けられ、中枠には、ガイド部の開口部を塞ぐ蓋部が設けられたことを特徴とする請求項６記載の扉付きコンセント。
【請求項８】
前記カバーの中枠と対向する部位には、中枠に向かって突出する係止突起が設けられ、中枠のカバーと対向する部位には、カバーに向かって突出するとともに係止突起が係止する被係止部が設けられたことを特徴とする請求項６記載の扉付きコンセント。
【発明の詳細な説明】
【技術分野】
【０００１】
本発明は、感電防止用の扉体を備えた扉付きコンセントに関する。
【背景技術】
【０００２】
従来、内部の刃受部等の充電部に触れることによる感電を防止するために、プラグを接続していない場合に栓刃挿入孔を閉塞する扉体を備えた扉付きコンセントが提供されており、例えば特許文献１に開示されている。以下、この種の扉付きコンセントの従来例について図面を用いて説明する。尚、以下の説明では、図１３（ａ）における上下を上下方向と定めるものとする。
【０００３】
この従来例は、図１３（ａ），（ｂ）に示すように、接地極を有する３極プラグ（図示せず）の各栓刃が挿入される栓刃挿入孔２０〜２２を有する差込部２を備えた筐体１と、筐体１内に収納されて栓刃挿入孔２０〜２２に挿入された３極プラグの電圧極の一対の栓刃及び接地極の栓刃がそれぞれ接触接続される刃受部６（電圧極に対応する刃受部は図示せず）とを備える。筐体１は、上面が開口した長尺箱状のボディ１０と、下面が開口した長尺箱状のカバー１１との各開口を突き合わせて成り、ボディ１０内部に各刃受部６が収納される。尚、ボディ１０及びカバー１１は、ボディ１０とカバー１１とを突き合わせた状態で、筐体１の長手方向に沿った両側面に一対の略矩形状の保持板１２を取り付けることで結合されるようになっている。
【０００４】
差込部２は、３極プラグの電圧極の一対の栓刃が挿入される電圧極の栓刃挿入孔２０，２１と、３極プラグの接地極の栓刃が挿入される接地極の栓刃挿入孔２２とを１組として成り、カバー１１の上面において長手方向に沿って２組設けられている。電圧極の栓刃挿入孔２０，２１は、それぞれ平型の栓刃が挿入される平型栓刃挿入孔２０ａ，２１ａと丸ピン型の栓刃が挿入される丸ピン型栓刃挿入孔２０ｂ，２１ｂとが連なって１つの栓刃挿入孔を形成している。また、接地極の栓刃挿入孔２２は、丸ピン型の栓刃が挿入される形状に形成されている。
【０００５】
各差込部２と刃受部６との間には、図１３（ｂ）に示すように、電圧極の栓刃挿入孔２０，２１を開放する位置と閉塞する位置との間で栓刃の挿入方向と交差する方向（筐体１の長手方向）にスライド自在な２つの扉体３がそれぞれ配設されている。扉体３は、その両側に張り出す翼片３０，３１が電圧極の栓刃挿入孔２０，２１と対向するように配設され、両翼片３０，３１の中間部３２には、一端部が扉体３に取り付けられるとともに他端部が筐体１に取り付けられて電圧極の栓刃挿入孔２０，２１を閉塞する位置に移動するように扉体３を付勢するコイル状のばね部材５が取り付けられている。また、両翼片３０，３１の栓刃との接触面は栓刃の挿入方向に対して傾斜しており、該接触面が栓刃を差込接続する際に押圧されて栓刃の挿入方向と交差する方向にスライド移動するようになっている。
【０００６】
このため、３極プラグの栓刃を差込部２に差込接続する場合には、栓刃を扉体３に接触させて電圧極の栓刃挿入孔２０，２１を開放する位置に扉体３をスライド移動させることで各栓刃挿入孔２０〜２２に栓刃を差込接続することができ、３極プラグの栓刃を差込接続しない場合には、扉体３がばね部材５の弾性力によって電圧極の栓刃挿入孔２０，２１を閉塞する位置に移動するため、外部から筐体１内部の刃受部６等の充電部に触れるのを防いで感電を防止することができる。
【０００７】
また、この従来例では、扉体３が両翼片３０，３１の中間部３２を中心として栓刃の挿入方向に揺動自在に配設されており、揺動して傾いた扉体３が筐体１の内壁と当接することで扉体３のスライド移動を阻止するようになっている。このため、例えば子供のいたずら等によって何れか一方の電圧極の栓刃挿入孔２０，２１のみに物が差し込まれた場合に、何れか一方の翼片３０，３１が他方の電圧極の栓刃挿入孔２０，２１側に傾き、扉体３をスライド移動させようとすると筐体１の内壁と傾いた翼片３０，３１とが当接して移動を阻止されるので、外部から筐体１内部の刃受部６等の充電部に触れるのを防いで感電を防止することができる。
【特許文献１】特開平１１−２９７３９５号公報
【発明の開示】
【発明が解決しようとする課題】
【０００８】
しかしながら、上記従来例では、扉体３を電圧極の栓刃挿入孔２０，２１を閉塞する位置に復帰させる手段を有するものの、揺動して傾いた扉体３を復帰させる手段を有していないため、差込部２の何れか一方の電圧極の栓刃挿入孔２０，２１のみに物を差し込んだ場合に、扉体３が他方の電圧極の栓刃挿入孔２０，２１側に傾いた状態が継続し、元の状態に復帰しない。このため、扉体３が傾いた状態で３極プラグの栓刃を差し込むと、斜め方向から差し込む等、差し込み方によっては扉体３が滑らかにスライドしないために扉体３が開き難く、強引に３極プラグの栓刃を差し込もうとすると扉体３が変形したり破損したりする虞があった。
【０００９】
本発明は、上記の点に鑑みて為されたもので、差込部の何れか一方の栓刃挿入孔のみに物が差し込まれても扉体が元の状態に復帰することのできる扉付きコンセントを提供することを目的とする。
【課題を解決するための手段】
【００１０】
請求項１の発明は、上記目的を達成するために、少なくともプラグの一対の栓刃が挿入される２つの栓刃挿入孔を有する一乃至複数の差込部が一面に設けられた筐体と、筐体に収納されて栓刃が接触接続される一乃至複数の刃受部と、筐体内部において差込部と刃受部との間に配設されて各栓刃挿入孔を開放する位置と閉塞する位置との間で栓刃の挿入方向と交差する方向にスライド自在な一乃至複数の扉体と、一端部が扉体に取り付けられるとともに他端部が筐体に取り付けられて栓刃挿入孔を閉塞する位置に移動するように扉体を付勢するばね部材とを備えた扉付きコンセントであって、扉体は、その両側に張り出す翼片を各栓刃挿入孔に対向させるとともに両翼片の中間部を中心として栓刃の挿入方向に揺動自在に配設され、筐体には、揺動して傾いた扉体のスライド移動を阻止する阻止手段が設けられ、ばね部材は、扉体の両翼片の中間部を挟んだ両側にそれぞれ設けられたことを特徴とする。
【００１１】
請求項２の発明は、請求項１の発明において、扉体のばね部材の一端部が取り付けられる部位には、ばね部材の一端部の周部を覆う周壁が設けられたことを特徴とする。
【００１２】
請求項３の発明は、請求項１又は２の発明において、阻止手段は、揺動して傾いた扉体に接触する筐体内壁であって、扉体又は筐体内壁の少なくとも何れか一方の接触部位にテーパを設けたことを特徴とする。
【００１３】
請求項４の発明は、請求項３の発明において、テーパは、扉体又は筐体内壁のうち対向する他方の接触面との成す角度が略３０度であることを特徴とする。
【００１４】
請求項５の発明は、請求項１乃至４の何れか１項の発明において、扉体は、栓刃と接触する面の少なくとも一部に段差が設けられたことを特徴とする。
【００１５】
請求項６の発明は、請求項１乃至５の何れか１項の発明において、筐体は、一面が開口するとともに刃受部を収納するボディ及び一面が開口するとともに差込部が設けられたカバーの各開口を突き合わせて成り、カバーとの間で扉体を挟持する中枠が設けられたことを特徴とする。
【００１６】
請求項７の発明は、請求項６の発明において、カバーのばね部材の他端部が取り付けられる部位には、開口部が設けられるとともに開口部を介してばね部材の他端部が案内されるガイド部が設けられ、中枠には、ガイド部の開口部を塞ぐ蓋部が設けられたことを特徴とする。
【００１７】
請求項８の発明は、請求項６の発明において、カバーの中枠と対向する部位には、中枠に向かって突出する係止突起が設けられ、中枠のカバーと対向する部位には、カバーに向かって突出するとともに係止突起が係止する被係止部が設けられたことを特徴とする。
【発明の効果】
【００１８】
請求項１の発明によれば、扉体の両翼片の中間部を挟んだ両側にそれぞればね部材を設けたので、扉体が傾いた場合にもばね部材の弾性力によって元の状態に復帰することができる。したがって、差込部の何れか一方の栓刃挿入孔のみに物が差し込まれても扉体が元の状態に復帰することができるので、扉体が傾いた状態でプラグの栓刃を差し込むことがなく、プラグの栓刃を強引に差し込むことによる扉体の変形及び破損を防止することができる。また、扉体の前記中間部にばね部材が配設されないことから、扉体の前記中間部を薄肉に形成する必要が無く、厚肉に形成することで十分な強度を確保することができる。
【００１９】
請求項２の発明によれば、周壁によってばね部材の一端部の周部を覆うことで、扉体が傾いた際のばね部材の捩れによってばね部材が脱落するのを防ぐことができる。
【００２０】
請求項３の発明によれば、テーパを設けることで扉体と筐体内壁との接触時の接触力を適宜調整できる。したがって、子供のいたずら等比較的強い力で差込部の何れか一方の栓刃挿入孔のみに物が差し込まれる場合には阻止手段が働き、簡易的な検電時において差込部の何れか一方の栓刃挿入孔のみに検電ドライバー等の冶具を差し込んで扉体を開かせる場合には阻止手段が働かないように接触力を調整することができる。
【００２１】
請求項４の発明によれば、安全法規に定められた基準を満たした阻止手段を働かせるために必要な接触力と、簡易的な検電時において扉体を開かせる際に阻止手段が働かない程度の接触力とを最適なバランスにすることができる。
【００２２】
請求項５の発明によれば、簡易的な検電時において検電ドライバーの先端部を段差に引掛けることができるので、差し込み方向に力を加えずに扉体を容易に開かせることができる。
【００２３】
請求項６の発明によれば、扉体をカバーと中枠とで挟持するので、組立時に扉体が脱落するのを防ぐことができる。
【００２４】
請求項７の発明によれば、ばね部材の他端部がガイド部に案内されることでばね部材を容易に位置決めすることができるとともに、蓋部によってガイド部の開口部を塞ぐことでばね部材の脱落を防止することができる。
【００２５】
請求項８の発明によれば、カバーの係止突起を中枠の被係止部に係止することで中枠をカバーに固定することができる。したがって、カバーと中枠との間に収納される扉体等の部品の脱落を防止しながらカバーと中枠とを一体に取り扱うことができるので、組立時の施工性を向上させることができる。
【発明を実施するための最良の形態】
【００２６】
以下、本発明に係る扉付きコンセントの実施形態について図面を用いて説明する。但し、本実施形態の基本的な構成は従来例と共通であるので、共通する部位には同一の番号を付して説明を省略するものとする。また、以下の説明では、図１における上下を上下方向、紙面手前側を前方向、紙面奥側を後方向と定めるものとする。
【００２７】
本実施形態は、図１及び図１３（ａ）に示すように、接地極を有する３極プラグ（図示せず）の電圧極の一対の栓刃（図示せず）及び接地極の栓刃（図示せず）が挿入される３つの栓刃挿入孔２０〜２２を１組とした２組の差込部２を有する筐体１と、筐体１内に収納されて栓刃挿入孔２０〜２２に挿入された３極プラグの電圧極の一対の栓刃及び接地極の栓刃がそれぞれ接触接続される刃受部６と、筐体１内部において差込部２と刃受部６との間に配設されて電圧極の栓刃挿入孔２０，２１を開放する位置と閉塞する位置との間で栓刃の挿入方向と交差する方向（前後方向）にスライド自在な扉体３と、一端部が扉体３に取り付けられるとともに他端部が筐体１に取り付けられる２つのコイル状のばね部材５とを備える。
【００２８】
電圧極に対応する刃受部６は、互いに対向する一対のばね片６０と、両ばね片６０の一方の側面に対向するばね片６１と、ばね片６０，６１を連続一体に結合する連結片（図示せず）とを備え、互いに対向する一対のばね片６０で丸ピン型の栓刃に弾接する刃受部を、ばね片６１と該ばね片６１の板面に対向する一対のばね片６０の端面で平型の栓刃に弾接する刃受部を構成している。尚、接地極に対応する刃受部６は、平型の栓刃が挿入されないので、互いに対向する一対のばね片６０及び各ばね片６０を連続一体に結合する連結片から構成される。電圧極に対応する刃受部６は、電圧極の栓刃挿入孔２０，２１と対向する位置に配設され、接地極に対応する刃受部６は、接地極の栓刃挿入孔２２と対向する位置に配設される。
【００２９】
扉体３は、図３に示すように、各栓刃挿入孔２０，２１と対向する形で配設される一対の翼片３０，３１と、翼片３０，３１の中間に位置して各翼片３０，３１を連結する中間部３２とから成る。翼片３０，３１の上面には、それぞれ栓刃の挿入方向に対して傾斜する傾斜面３０ａ，３１ａが形成されており、該傾斜面３０ａ，３１ａが栓刃の押圧力を受けることで扉体３が前後方向にスライドするようになっている。
【００３０】
翼片３０，３１の一側面には、それぞればね部材５の一端部が圧入される取付用突部３０ｃ，３１ｃが設けられている。また、各取付用突部３０ｃ，３１ｃの周囲には、ばね部材５の一端部を覆う周壁３０ｄ，３１ｄが立設されている。而して、該周壁３０ｄ，３１ｄによって、扉体３が揺動して傾いた際にばね部材５が捩れることからばね部材５が脱落するのを防いでいる。
【００３１】
扉体３及びばね部材５の下方には、カバー１１との間で扉体３及びばね部材５を挟持して保持するための中枠４が配設されている。中枠４は、図４（ｂ）に示すように、扉体３及びばね部材５を覆う寸法で略矩形状に形成され、電圧極の栓刃挿入孔２０，２１と対向する位置には、電圧極の栓刃挿入孔２０，２１と刃受部６とを連通させるために略矩形状の窓孔４ｃが貫設されている。また、接地極の栓刃挿入孔２２と対向する位置には、接地極の栓刃挿入孔２２と刃受部６とを連通させるために切り欠きが設けられている。中枠４の下面には、図６に示すように、前後方向に沿って下方に突出する突条４ｄが形成されている。而して、該突条４ｄをボディ１０内部において前後方向に沿って設けられた凹部１０ａに嵌合させることで、中枠４が筐体１内部に配設される。
【００３２】
各中枠４の図４（ｂ）における左側面には、カバー１１のガイド部１１ｂの開口を塞ぐための一対の蓋部４ｂがそれぞれ突設されている。而して、図５に示すように、ばね部材５の他端部をガイド部１１ｂの開口を介して挿入した後に、中枠４の蓋部４ｂでガイド部１１ｂの開口を塞ぐことによりばね部材５の他端部を容易に位置決めしてカバー１１に取り付けることができるとともに、ばね部材５が自重で脱落するのを防止することができる。
【００３３】
上記のように、２つのばね部材５の各一端部を扉体３の両翼片３０，３１の取付用突部３０ｃ，３１ｃに取り付けるとともに、各他端部をカバー１１に取り付けることで、ばね部材５は両翼片３０，３１の中間部３２を挟んだ両側にそれぞれ配設され、電圧極の栓刃挿入孔２０，２１を閉塞する位置に移動するように扉体３を付勢する。
【００３４】
中間部３２の上面及び下面には、それぞれ上方向及び下方向に突出する突部３２ａが一体に形成されている。これら上下の突部３２ａは、図６に示すように、それぞれカバー１１内側の上面に前後方向に沿って設けられた案内溝１１ａ及び中枠４の上面に前後方向に沿って設けられた案内溝４ａに摺動自在に配設される。而して、扉体３はカバー１１と中枠４とで挟持されつつ前後方向にスライド自在となっている。また、各突部３２ａを中心として両翼片３０，３１が上下方向に揺動自在となっている。
【００３５】
翼片３０，３１の中間部３２と連結される側と反対側の端部は、何れも扉体３が揺動して傾いた際にカバー１１の内壁と一体に設けられたストッパ１１ｃと接触するようになっている。このため、扉体３が揺動して傾いた状態で扉体３を前後方向に移動させようとすると、当該端部がストッパ１１ｃに接触することで扉体３の移動が阻止される。即ち、ストッパ１１ｃが扉体３の前後方向の移動を阻止する阻止手段となっている。
【００３６】
以下、阻止手段の具体例を挙げる。図７（ａ）に示すように、扉体３が揺動せずに傾いていない状態において何れか一方の電圧極の栓刃挿入孔２０，２１（同図では、左側の電圧極の栓刃挿入孔２０）に物を差し込むと、扉体３の翼片３０が押圧されて下方へと揺動するとともに、他方の翼片３１が上方へと揺動して前記右側の電圧極の栓刃挿入孔２１に近づく（図７（ｂ）参照）。この時、図８に示すように、翼片３０の前記端部がカバー１１のストッパ１１ｃと対向する位置まで移動する（同図における左側の扉体３を参照）。而して、この状態で扉体３を開かせようとしても、ストッパ１１ｃに翼片３０の前記端部が接触して前後方向の移動を阻止されるため、扉体３が開かれることがない。よって、外部から筐体１内部の刃受部６等の充電部に触れるのを防いで感電を防止することができる。
【００３７】
ここで、本実施形態では、扉体３の両翼片３０，３１の中間部３２を挟んだ両側にばね部材５をそれぞれ設けているので、上記のように扉体３が揺動して傾いた場合に各ばね部材５が捩れる。このため、扉体３を押圧する力が失われると、ばね部材５が捩れから復帰しようとする弾性力によって翼片３０，３１が傾いていない元の状態に復帰することができる。したがって、何れか一方の電圧極の栓刃挿入孔２０，２１のみに物が差し込まれても扉体３が元の状態に復帰することができるので、扉体３が傾いた状態で３極プラグの栓刃を差し込むことがなく、３極プラグの栓刃を強引に差し込むことによる扉体３の変形及び破損を防止することができる。また、扉体３の中間部３２にばね部材５が配設されないことから、扉体３の中間部３２を薄肉に形成する必要が無く、厚肉に形成することで十分な強度を確保することができる。
【００３８】
ところで、本実施形態では、傾斜面３０ａ，３１ａにそれぞれ下方向に窪んだ引掛凹部３０ｂ，３１ｂが形成されており、引掛凹部３０ｂ，３１ｂによって傾斜面３０ａ，３１ａに段差が形成されている。このため、図１０に示すように、刃受部６の通電性を確認するために検電ドライバーＡを栓刃挿入孔２０，２１に差し込んで簡易的に検電を行う場合に、検電ドライバーＡの先端部を引掛凹部３０ｂ，３１ｂに引掛けてスライド方向に押圧することで扉体３を容易に開かせることができる。この時、検電ドライバーＡの先端部で扉体３を栓刃の挿入方向に押圧することがないので、扉体３が揺動することもない。したがって、扉体３が傾くことで阻止手段が働いて扉体３がロックされることもなく、検電ドライバーＡを強引に差し込む等の行為による扉体３の変形及び破損を防止することができる。
【００３９】
尚、引掛凹部３０ｂ，３１ｂの形状は上記の形状に限定される必要はなく、例えば図１１に示すように、各傾斜面３０ａ，３１ａの中央部付近に設けられた略矩形状の凹部であっても構わない。要するに、検電ドライバーＡの先端部を引掛けることのできる段差が各傾斜面３０ａ，３１ａに形成されていればよい。
【００４０】
また、本実施形態では、図９（ａ），（ｂ）に示すように、両翼片３０，３１の前記端部及びストッパ１１ｃの互いに接触する部位にテーパ３０ｅ，３１ｅ，１１ｄがそれぞれ設けられている。これらテーパ３０ｅ，３１ｅ，１１ｄの傾斜角度（扉体３又はストッパ１１ｃのうち対向する他方の接触面との成す角度）αを設計時に適宜調整することで、翼片３０，３１の前記端部とストッパ１１ｃとの接触時の接触力を調整することができる。したがって、子供のいたずら等比較的強い力で何れか一方の電圧極の栓刃挿入孔２０，２１のみに物が差し込まれる場合には、ストッパ１１ｃが阻止手段として働き、簡易的な検電のために検電ドライバーＡを差し込んで扉体３を開かせる場合には、ストッパ１１ｃが阻止手段として働かないようにすることができる。
【００４１】
尚、傾斜角度αを略３０度に設定すれば、安全法規に定められた基準を満たしたストッパ１１ｃを阻止手段として働かせるために必要な接触力と、簡易的な検電時において扉体３を開かせる際にストッパ１１ｃが阻止手段として働かない程度の接触力とを最適なバランスにすることができて望ましい。
【００４２】
また、図１２（ａ），（ｂ）に示すように、カバー１１の内側面において中枠４に向かって突出する断面略三角形状の係止突起１１ｅを設けるとともに、中枠４の外側面においてカバー１１に向かって突出し且つ係止突起１１ｅが係止する断面略矩形状の被係止部４ｅを設けても構わない。この場合、中枠４を被係止部４ｅがカバー１１の係止突起１１ｅを乗り越えるようにカバー１１の内側に押し込むことで係止突起１１ｅが被係止部４ｅに係止し、中枠４がカバー１１に固定される。而して、カバー１１と中枠４との間に収納される扉体３及びばね部材５の脱落を防止しながらカバー１１と中枠４とを一体に取り扱うことができるので、例えばカバー１１と中枠４との間に扉体３及びばね部材５を挟持させた状態でカバー１１に中枠４を固定したブロックをボディ１０に組み込むといった作業を行うことができ、組立時の施工性を向上させることができる。
【００４３】
尚、係止突起１１ｅの形状は上記の断面略三角形状に限定されるものではなく、例えば図１２（ｃ）に示すように断面略矩形状であっても構わない。要は被係止部４ｅに係止可能な形状であればよい。また、係止突起１１ｅ及び被係止部４ｅにおいて、カバー１１の内側に中枠４を押し込む際に互いに接触する部位は何れも互いを案内するように傾斜して形成されるのが望ましい。このように構成することで、カバー１１の内側に中枠４を容易に押し込むことができる。
【図面の簡単な説明】
【００４４】
【図１】本発明に係る扉付きコンセントの実施形態を示す一部省略した斜視図である。
【図２】同上の栓刃挿入孔が開放された状態を示す一部省略した斜視図である。
【図３】同上の扉体を示す斜視図である。
【図４】同上のボディを外した状態を下側から見た図で、（ａ）は中枠を外した状態を示す図で、（ｂ）は中枠を取り付けた状態を示す図である。
【図５】同上のばね部材の取付方法を示す断面図である。
【図６】同上の扉体及び中枠の配置を示す断面図である。
【図７】同上の阻止手段の説明図で、（ａ）は扉体が傾いていない状態を示す側面から見た断面図で、（ｂ）は扉体が傾いている状態を示す側面から見た断面図である。
【図８】同上の扉体が傾いている状態を示す他の側面から見た断面図である。
【図９】同上の阻止手段のテーパを示す図で、（ａ）は扉体が傾いていない状態の拡大図で、（ｂ）は扉体が傾いている状態の拡大図である。
【図１０】同上の検電ドライバーを差し込んだ状態を示す断面図である。
【図１１】同上の扉体の他の形態を示す斜視図である。
【図１２】同上の中枠のカバーに対する固定方法の説明図で、（ａ）は側面から見た断面図で、（ｂ）は係止状態を示す一部拡大した断面図で、（ｃ）は別形状の係止突起を用いた場合の一部拡大した断面図である。
【図１３】従来の扉付きコンセントを示す図で、（ａ）は全体斜視図で、（ｂ）はカバーを外した状態の斜視図である。
【符号の説明】
【００４５】
１  筐体
１０  ボディ
１１  カバー
２  差込部
２０，２１  栓刃挿入孔（電圧極）
２２  栓刃挿入孔（接地極）
３  扉体
３０，３１  翼片
３２  中間部
５  ばね部材
６  刃受部
【図１】
0004535168.tif 000002
【図２】
0004535168.tif 000003
【図３】
0004535168.tif 000004
【図４】
0004535168.tif 000005
【図５】
0004535168.tif 000006
【図６】
0004535168.tif 000007
【図７】
0004535168.tif 000008
【図８】
0004535168.tif 000009
【図９】
0004535168.tif 000010
【図１０】
0004535168.tif 000011
【図１１】
0004535168.tif 000012
【図１２】
0004535168.tif 000013
【図１３】
0004535168.tif 000014